(57)【要約】【課題】ユーザの日常行動による移動か、日常行動以外による移動か、を判別可能にすること。【解決手段】携帯端末１は、出力制御部５６と、出力手段と、を備える。出力制御部５６は、ユーザの移動軌跡情報を取得する。出力制御部５６は、取得した移動軌跡情報を、ユーザの日常行動による移動か、日常行動以外による移動か、を判別可能な状態で出力するように出力部２０を制御する。これにより、携帯端末１においては、ユーザの日常行動による移動か、日常行動以外による移動か、を判別可能な状態で移動軌跡情報を出力することができる。【選択図】図３
2018105629.tif 000002
【特許請求の範囲】
【請求項１】
ユーザの移動軌跡情報を取得する移動軌跡情報取得手段と、
前記移動軌跡情報取得手段により取得した前記移動軌跡情報を、前記ユーザの日常行動による移動か、日常行動以外による移動か、を判別可能な状態で出力する出力手段と、
を備えることを特徴とする情報処理装置。
【請求項２】
前記出力手段は、対応する地図上に、前記移動軌跡情報を重ねて表示すると共に、当該移動軌跡情報を、前記ユーザの日常行動による移動か、日常行動以外による移動か、を判別可能な状態で表示する、
ことを特徴とする請求項１に記載の情報処理装置。
【請求項３】
前記出力手段は、前記移動軌跡情報を、当該情報処理装置の外部に出力する、
ことを特徴とする請求項１又は２に記載の情報処理装置。
【請求項４】
前記出力手段が出力した前記移動軌跡情報を記憶する記憶手段を備えたことを特徴とする請求項１乃至３の何れか一項に記載の情報処理装置。
【請求項５】
前記ユーザの移動に先駆けて、当該ユーザの移動が前記日常行動以外による移動の場合、日常行動以外による移動であることを示す行動情報を設定する第１の行動情報設定手段を備え、
前記出力手段は、前記第１の行動情報設定手段により設定された前記行動情報に基づいて、前記移動軌跡情報を、前記ユーザの日常行動による移動か、日常行動以外による移動か、を判別可能な状態で記録する、
ことを特徴とする請求項１乃至４の何れか一項に記載の情報処理装置。
【請求項６】
前記ユーザの動きを検出する動き検出手段と、
前記動き検出手段による当該ユーザの動きに基づいて、当該ユーザの移動が前記日常行動以外による移動か否かを判定する行動判定手段と、
前記行動判定手段により、当該ユーザの移動が前記日常行動以外による移動と判定された場合、日常行動以外による移動であることを示す行動情報を設定する第２の行動情報設定手段と、を備え、
前記出力手段は、前記第２の行動情報設定手段により設定された前記行動情報に基づいて、前記移動軌跡情報を、前記ユーザの日常行動による移動か、日常行動以外による移動か、を判別可能な状態で記録する、
ことを特徴とする請求項１乃至４の何れか一項に記載の情報処理装置。
【請求項７】
位置情報を取得する位置情報取得手段を備え、
前記移動軌跡情報取得手段は、前記位置情報取得手段を所定の時間間隔で起動することにより取得した位置情報を用いて前記移動軌跡情報を取得する、
ことを特徴とする請求項１乃至６の何れか一項に記載の情報処理装置。
【請求項８】
前記移動軌跡情報取得手段は、前記位置情報取得手段を起動する時間間隔を、前記ユーザの日常行動による移動か、日常行動以外による移動か、で異ならせる、
ことを特徴とする請求項７に記載の情報処理装置。
【請求項９】
前記移動軌跡情報取得手段は、前記ユーザの移動が前記日常行動以外による移動の場合の前記位置情報取得手段を起動する時間間隔を、前記ユーザの移動が前記日常行動の場合の前記位置情報取得手段を起動する時間間隔より、短い時間間隔に変更する、
ことを特徴とする請求項８に記載の情報処理装置。
【請求項１０】
前記日常行動以外の行動は速さの異なる複数の行動を含み、
前記移動軌跡情報取得手段は、前記ユーザの移動が前記日常行動以外による移動の場合の前記位置情報取得手段を起動する時間間隔を、前記行動の速さに基づいて異ならせる、
ことを特徴とする請求項７に記載の情報処理装置。
【請求項１１】
前記移動軌跡情報取得手段は、前記ユーザの移動が前記日常行動以外による移動の場合の前記位置情報取得手段を起動する時間間隔を、速さが遅い行動による移動の場合より速さが速い行動による移動の場合の方が、短い時間間隔に変更する、
ことを特徴とする請求項１０に記載の情報処理装置。
【請求項１２】
ユーザの日常行動による移動か、日常行動以外による移動か、を判別可能な移動軌跡情報を取得する移動軌跡情報取得手段と、
対応する地図上に、前記移動軌跡情報を重ねて表示すると共に、当該移動軌跡情報を、前記ユーザの日常行動による移動か、日常行動以外による移動か、を判別可能な状態で表示する表示手段と、
を備えることを特徴とする情報処理装置。
【請求項１３】
前記日常行動以外の行動は、ランニング、登山、トレッキング、サイクリング、セイリング、フィッシング、サーフィン、スキー、スノーボード、の少なくとも一つである、
ことを特徴とする請求項１乃至１２の何れか一項に記載の情報処理装置。
【請求項１４】
情報処理装置が実行する移動軌跡情報出力方法であって、
ユーザの移動軌跡情報を取得する移動軌跡情報取得ステップと、
前記移動軌跡情報取得ステップにより取得した前記移動軌跡情報を、前記ユーザの日常行動による移動か、日常行動以外による移動か、を判別可能な状態で出力する出力ステップと、
を含むことを特徴とする移動軌跡情報出力方法。
【請求項１５】
コンピュータを、
ユーザの移動軌跡情報を取得する移動軌跡情報取得手段、
前記移動軌跡情報取得手段により取得した前記移動軌跡情報を、前記ユーザの日常行動による移動か、日常行動以外による移動か、を判別可能な状態で出力する出力手段、
として機能させることを特徴とするプログラム。
【発明の詳細な説明】
【技術分野】
【０００１】
本発明は、情報処理装置、移動軌跡情報出力方法及びプログラムに関する。
【背景技術】
【０００２】
従来より、ユーザの行動をセンシングして、センシング結果から移動軌跡を取得する技術が知られている。このような技術では、例えば、特許文献１のように、ユーザの移動軌跡情報を地図上に重ねて表示する技術がある。
【先行技術文献】
【特許文献】
【０００３】
【特許文献１】実開平６−８６０２３号公報
【発明の概要】
【発明が解決しようとする課題】
【０００４】
しかしながら、上述した特許文献１に記載の技術においては、表示される移動軌跡情報から、移動軌跡の内容、例えば、通勤や通学による移動等のユーザの日常行動による移動なのか、例えば、スキー、サーフィン、サイクリング等々の当該ユーザが運動アクティビティである日常行動以外による移動なのかを、知る術がなかった。
【０００５】
本発明は、このような状況に鑑みてなされたものであり、ユーザの日常行動による移動か、日常行動以外による移動か、を判別可能にすることを目的とする。
【課題を解決するための手段】
【０００６】
上記目的を達成するため、本発明の一態様の情報処理装置は、
ユーザの移動軌跡情報を取得する移動軌跡情報取得手段と、
前記移動軌跡情報取得手段により取得した前記移動軌跡情報を、前記ユーザの日常行動による移動か、日常行動以外による移動か、を判別可能な状態で出力する出力手段と、
を備えることを特徴とする。
【発明の効果】
【０００７】
本発明によれば、ユーザの日常行動による移動か、日常行動以外による移動か、を判別可能にすることができる。
【図面の簡単な説明】
【０００８】
【図１】本発明の情報処理装置の一実施形態に係る携帯端末１のハードウェアの構成を示すブロック図である。
【図２】本実施形態における移動軌跡の地図表示の例を示す模式図である。
【図３】図１の携帯端末１の機能的構成のうち、位置情報記憶処理及び移動軌跡情報表示処理を実行するための機能的構成を示す機能ブロック図である。
【図４】本実施形態における測位間隔設定テーブルを示す模式図である。
【図５】図３の機能的構成を有する図１の携帯端末１が実行する位置情報記憶処理の流れを説明するフローチャートである。
【図６】図３の機能的構成を有する図１の携帯端末１が実行する移動軌跡情報表示処理の流れを説明するフローチャートである。
【発明を実施するための形態】
【０００９】
以下、本発明の実施形態について、図面を用いて説明する。
【００１０】
図１は、本発明の情報処理装置の一実施形態に係る携帯端末１のハードウェアの構成を示すブロック図である。
携帯端末１は、例えば、スマートフォンとして構成される。
【００１１】
携帯端末１は、図１に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、ＧＰＳ部１６と、センサ部１７と、撮像部１８と、入力部１９と、出力部２０と、記憶部２１と、通信部２２と、ドライブ２３と、を備えている。
【００１２】
ＣＰＵ１１は、ＲＯＭ１２に記録されているプログラム、又は、記憶部２１からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、ＧＰＳ部１６と、センサ部１７と、撮像部１８、入力部１９、出力部２０、記憶部２１、通信部２２及びドライブ２３が接続されている。
【００１５】
ＧＰＳ部１６は、アンテナを含み、複数のＧＰＳ（Ｇｌｏｂａｌ  Ｐｏｓｉｔｉｏｎｉｎｇ  Ｓｙｓｔｅｍ）用衛星からのＧＰＳ信号を受信して、携帯端末１の位置情報を取得する。
【００１６】
センサ部１７は、ＸＹＺ軸方向の携帯端末１の移動や携帯端末１の振動を測定可能に構成される。センサ部１７は、例えば、加速度センサ、ジャイロセンサ、地磁気センサ、気圧センサ等の各種センサで構成される。即ち、携帯端末１では、センサ部１７からのセンシング結果に基づいて、自機の状況の判定や自律航法による測位も可能に構成される。
なお、以下において、ＧＰＳ部１６から出力されたＧＰＳ情報を用いた位置測位を「ＧＰＳ測位」といい、加速度や地磁気等の各種センサにより構成されるセンサ部１７から取得した自機のセンサ情報を用いた自律航法による位置測位を「自律航法測位」といい、これらの測位方法を組み合わせた位置測位を「ハイブリッド測位」という。
【００１７】
撮像部１８は、図示はしないが、光学レンズ部と、イメージセンサと、を備えている。
【００１８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１８の出力信号として出力される。
このような撮像部１８の出力信号を撮像画像のデータとして出力して、ＣＰＵ１１や図示しない画像処理部等に適宜供給される。
【００２０】
入力部１９は、各種釦等で構成され、ユーザの指示操作に応じて各種情報を入力する。
出力部２０は、ディスプレイやスピーカ等で構成され、画像や音声を出力する。
記憶部２１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、画像等の各種データを記憶する。
通信部２２は、インターネットを含むネットワークを介して他の装置（図示せず）との間で行う通信を制御する。
【００２１】
ドライブ２３には、磁気ディスク、光ディスク、光磁気ディスク、或いは半導体メモリ等よりなる、リムーバブルメディア３１が適宜装着される。ドライブ２３によってリムーバブルメディア３１から読み出されたプログラムは、必要に応じて記憶部２１にインストールされる。また、リムーバブルメディア３１は、記憶部２１に記憶されている画像等の各種データも、記憶部２１と同様に記憶することができる。
【００２２】
このように構成される携帯端末１は、対応するアクティビティ毎に表示態様を変えて、地図上に移動軌跡を表示する機能を有する。
本実施形態において、アクティビティは、例えば、登山、トレッキング、フィッシング、サイクリング、サーフィン、スキー、スノーボード、日常生活等を含む。
即ち、携帯端末１では、アクティビティの動作時に取得された位置情報から構成される移動軌跡の表示が対応するアクティビティ毎に異なるように表示される。
【００２３】
図２は、本実施形態の地図表示における移動軌跡の表示例を示す模式図である。
本実施形態の携帯端末１では、図２に示すように、地図上に移動軌跡Ｌ１、Ｌ２を表示する。表示される移動軌跡Ｌ１、Ｌ２は、アクティビティ毎に表示が異なる。即ち、実線の移動軌跡Ｌ１は、日常の行動を示し、例えば、自宅からトレッキングを行なう場所まで車で来て、トレッキングのアクティビティを行ない、トレッキング後にまた車で別の場所に移動した移動軌跡である。破線の移動軌跡Ｌ２は、例えば、日常行動以外のアクティビティのトレッキングを行なった際に移動した移動軌跡である。なお、移動軌跡は、日常の行動か、日常の行動以外で表示が異なるようにしてもよいし、日常の行動か、日常の行動以外のアクティビティ毎に表示が異なるようにしてもよい。また、移動軌跡の移動速度に応じて、例えば、線種や色の表示を異ならせるようにしたり、近似させるようにしてもよい。
【００２４】
また、アクティビティによって同一のコースを複数回周回したような場合には、移動軌跡は複数表示せずに、移動軌跡の近傍に周回の回数を表示する。また、周回、又はコースの一部重複の場合には、例えば、直近の移動軌跡の色を濃くしたり、手前に表示したりしてもよい。
【００２５】
また、同一アクティビティの移動軌跡が重なった場合には、例えば、出現頻度の少ないアクティビティを優先表示したり、時間が新しい方を優先して表示したりしてもよい。
また、同一／異なるアクティビティを点灯表示するようにしてもよい。
また、アクティビティ時の移動軌跡を評価して、例えば、本番／練習、タイムが最も速い等の優良な移動軌跡を積極的に表示させるようにしてもよい。
【００２６】
また、アクティビティの表示態様が色の場合には、登山やトレッキングであれば山や木々を想起させる緑、サーフィンやフィッシングであれば水を想起させる青、サイクリングであれば路面を想起させる灰色、スキーやスノーボードであれば雪を想起させる白の色分けを行うようにしてもよい。また、移動軌跡を構成する線を移動順に順次点滅移動させるようにしてもよい。
【００２７】
図３は、図１の携帯端末１の機能的構成のうち、位置情報記憶処理及び移動軌跡情報表示処理を実行するための機能的構成を示す機能ブロック図である。
位置情報記憶処理とは、ＧＰＳ測位を行って、測位時のアクティビティ情報と共に、出力された位置情報を記憶する一連の処理をいう。
移動軌跡情報表示処理とは、地図上に移動軌跡を表示すると共に、アクティビティ毎に移動軌跡の表示を変える一連の処理をいう。
【００２８】
位置情報記憶処理を実行する場合には、図３に示すように、ＣＰＵ１１において、アクティビティ設定部５１と、ＧＰＳ測位間隔設定部５２と、ＧＰＳ制御部５３と、記憶制御部５４と、が機能する。
【００２９】
また、記憶部２１の一領域には、測位間隔設定テーブル記憶部７１と、位置情報記憶部７２と、が設定される。
【００３０】
測位間隔設定テーブル記憶部７１には、測位間隔設定テーブルのデータが記憶される。
図４は、本実施形態における測位間隔設定テーブルを示す模式図である。
測位間隔設定テーブルでは、図４に示すように、アクティビティに対応する測位間隔が設定されている。また、測位間隔は、ＧＰＳモード設定に応じて［精度優先］か［バッテリ優先］かによって測位間隔が異なる。
具体的には、アクティビティ［登山／トレッキング］の場合には、［精度優先］では［１測位／５秒］となり、［バッテリ優先］では［１測位／６０秒］となる。
一方で、［登山／トレッキング］〜［スキー／スノーボード］以外のアクティビティ［上記以外の日常］の場合には、［精度優先］・［バッテリ優先］に限らず、［１測位／１分〜６分］となる。即ち、日常以外のアクティビティと、日常とでは、測位間隔が大きく異なる。また、測位間隔は、大きく日常と日常以外で異ならせているが、アクティビティの内容（行動における移動速度）に応じて測位間隔を細かく異ならせるように構成してもよい。
【００３１】
位置情報記憶部７２には、ＧＰＳ部１６によるＧＰＳ測位により得られた位置情報と、位置情報取得時に設定されたアクティビティ情報とが記憶される。本実施形態のアクティビティ情報は、日常の行動と、日常以外の行動とに分かれ、日常以外の行動でさらに、例えば、登山、トレッキング、フィッシング、サイクリング、サーフィン、スキー、スノーボードの各種アクティビティに分かれる。
【００３２】
アクティビティ設定部５１は、ユーザによるアクティビティ設定操作によって入力部１９を介して、アクティビティを設定する。アクティビティ設定操作は、例えば、直接的にアクティビティを設定する操作やアクティビティに関係するアプリケーションを起動する操作を含む。
【００３３】
ＧＰＳ測位間隔設定部５２は、測位間隔設定テーブル記憶部７１に記憶される測位間隔設定テーブルを参照して、設定されたアクティビティに応じた測位間隔を設定する。
例えば、アクティビティ［登山／トレッキング］が設定された場合には、［精度優先］のときには測位間隔を［１測位／５秒］に設定する。
【００３４】
ＧＰＳ制御部５３は、設定されたアクティビティに応じた測位間隔に基づいて、測位を行うようにＧＰＳ部１６を制御する。
【００３５】
記憶制御部５４は、ＧＰＳ部１６から出力される位置情報と、測位時のアクティビティ情報とを併せて位置情報記憶部７２に記憶させる。
【００３６】
移動軌跡情報表示処理を実行する場合には、図３に示すように、ＣＰＵ１１において、情報取得部５５と、出力制御部５６と、が機能する。
また、記憶部２１の一領域には、地図情報記憶部７３がさらに設定される。
地図情報記憶部７３には、地図情報が記憶される。
【００３７】
情報取得部５５は、位置情報記憶部７２から位置情報と対応するアクティビティ情報を取得し、地図情報記憶部７３から取得した位置情報に対応する地図情報を取得する。
【００３８】
出力制御部５６は、画像等を出力するように出力部２０を制御する。
具体的には、出力制御部５６は、位置情報に対応する範囲の地図を表示するように出力部２０を制御する。出力制御部５６は、アクティビティに応じて表示態様を変更した移動軌跡を地図上の対応箇所に表示するように出力部２０を制御する。その結果、出力部２０では、図２に示すような、アクティビティにより移動軌跡の表示態様が異なる地図が表示される。
【００３９】
図５は、図３の機能的構成を有する図１の携帯端末１が実行する位置情報記憶処理の流れを説明するフローチャートである。
位置情報記憶処理は、ユーザによる入力部１９への位置情報記憶処理開始の操作により開始される。
【００４０】
ステップＳ１１において、アクティビティ設定部５１は、ユーザによるアクティビティ設定操作によって入力部１９を介して、アクティビティを設定する。
ユーザは、登山、トレッキング、フィッシング、サイクリング、サーフィン、スキー、スノーボードのうちからアクティビティを設定する。
また、ユーザによって任意にアクティビティの設定が行われなかった場合には、デフォルト設定として、日常というアクティビティの設定となる。
【００４１】
ステップＳ１２において、ＧＰＳ測位間隔設定部５２は、測位間隔設定テーブル記憶部７１に記憶される測位間隔設定テーブルを参照して、設定されたアクティビティに応じた測位間隔を設定する。
【００４２】
ステップＳ１３において、ＧＰＳ制御部５３は、設定されたアクティビティに応じた測位間隔に基づいて、測位を行うようにＧＰＳ部１６を制御する。ＧＰＳ部１６からは所定の間隔で測位した位置情報が出力される。
【００４３】
ステップＳ１４において、記憶制御部５４は、ＧＰＳ部１６から出力される位置情報と、測位時のアクティビティ情報とを併せて位置情報記憶部７２に記憶させる。
その後、位置情報記憶処理は終了する。
【００４４】
図６は、図３の機能的構成を有する図１の携帯端末１が実行する移動軌跡情報表示処理の流れを説明するフローチャートである。
移動軌跡情報表示処理は、ユーザによる入力部１９への移動軌跡情報表示処理開始の操作により開始される。
【００４５】
ステップＳ３１において、位置情報記憶部７２から位置情報と対応するアクティビティ情報を取得し、地図情報記憶部７３から取得した位置情報に対応する地図情報を取得する。
【００４６】
ステップＳ３２において、出力制御部５６は、取得した地図情報に基づいて、位置情報に対応する範囲の地図を表示するように出力部２０を制御する。
【００４７】
ステップＳ３３において、出力制御部５６は、位置情報及びアクティビティ情報に基づいて、アクティビティに応じて表示態様を変更した移動軌跡を地図上の対応箇所に表示するように出力部２０を制御する。本実施形態において、表示態様は、線種を変更することにより行われる。なお、アクティビティの違いが分かればよく、例えば、色分けや線の太さを変える等で表示態様を変更するように構成してもよい。
その後、移動軌跡情報表示処理開始は終了する。
【００４８】
以上のように構成される携帯端末１は、出力制御部５６と、出力部２０と、を備える。
出力制御部５６は、ユーザの移動軌跡情報を取得する。
出力制御部５６は、取得した移動軌跡情報を、ユーザの日常行動による移動か、日常行動以外による移動か、を判別可能な状態で出力するように出力部２０を制御する。
これにより、携帯端末１においては、ユーザの日常行動による移動か、日常行動以外による移動か、を判別可能な状態で移動軌跡情報を出力することができる。
【００４９】
出力制御部５６は、対応する地図上に、移動軌跡情報を重ねて表示すると共に、当該移動軌跡情報を、ユーザの日常行動による移動か、日常行動以外による移動か、を判別可能な状態で表示するように出力部２０を制御する。
これにより、携帯端末１においては、ユーザの日常行動による移動か、日常行動以外による移動か、を判別可能な状態で移動軌跡情報を表示することができる。
【００５０】
出力制御部５６は、移動軌跡情報を、当該携帯端末１の外部に通信部２２等を介して出力する。
これにより、携帯端末１においては、ユーザの日常行動による移動か、日常行動以外による移動か、を判別可能な状態で外部に出力することができる。
【００５１】
また、携帯端末１は、出力部２０が出力した移動軌跡情報を記憶する記憶部２１を備える。
これにより、携帯端末１においては、移動軌跡情報を記憶することができる。
【００５２】
また、携帯端末１は、アクティビティ設定部５１を備える。
アクティビティ設定部５１は、ユーザの移動に先駆けて、当該ユーザの移動が日常行動以外による移動の場合、日常行動以外による移動であることを示す行動情報を設定する。
出力手段は、アクティビティ設定部５１により設定された行動情報に基づいて、移動軌跡情報を、ユーザの日常行動による移動か、日常行動以外による移動か、を判別可能な状態で記録する。
これにより、携帯端末１においては、ユーザの日常行動による移動か、日常行動以外による移動か、を判別可能な状態で移動軌跡情報を記録することができる。
【００５３】
位置情報を取得するＧＰＳ部１６を備える。
ＧＰＳ制御部５３は、ＧＰＳ部１６を所定の時間間隔で起動することにより取得した位置情報を用いて移動軌跡情報を取得するように制御する。
これにより、携帯端末１においては、ＧＰＳ部１６を所定の時間間隔で起動することにより取得した位置情報を用いて移動軌跡情報を取得することができる。
【００５４】
ＧＰＳ制御部５３は、ＧＰＳ部１６を起動する時間間隔を、ユーザの日常行動による移動か、日常行動以外による移動か、で異ならせる。
これにより、携帯端末１においては、取得される位置情報の間隔が、ユーザの日常行動による移動か、日常行動以外による移動か、で異なるようにすることができる。
【００５５】
ＧＰＳ制御部５３は、ユーザの移動が日常行動以外による移動の場合のＧＰＳ部１６を起動する時間間隔を、ユーザの移動が日常行動の場合のＧＰＳ部１６を起動する時間間隔より、短い時間間隔に変更する。
これにより、携帯端末１においては、ユーザの日常行動が長く、日常行動以外は短い間隔で位置情報を取得することができる。
【００５６】
日常行動以外の行動は速さの異なる複数の行動を含む。
ＧＰＳ制御部５３は、ユーザの移動が日常行動以外による移動の場合のＧＰＳ部１６を起動する時間間隔を、行動の速さに基づいて異ならせる。
これにより、携帯端末１においては、日常行動以外の行動毎に異なる間隔で位置情報を取得することができる。
【００５７】
出力制御部５６は、ユーザの移動が日常行動以外による移動の場合のＧＰＳ部１６を起動する時間間隔を、速さが遅い行動による移動の場合より速さが速い行動による移動の場合の方が、短い時間間隔に変更する。
これにより、携帯端末１においては、日常行動以外の行動において、移動の速さに応じて時間間隔を帰ることができる。
【００５８】
出力制御部５６は、ユーザの日常行動による移動か、日常行動以外による移動か、を判別可能な移動軌跡情報を取得する。
出力部２０は、対応する地図上に、移動軌跡情報を重ねて表示すると共に、当該移動軌跡情報を、ユーザの日常行動による移動か、日常行動以外による移動か、を判別可能な状態で表示する。
これにより、携帯端末１においては、移動軌跡情報を、ユーザの日常行動による移動か、日常行動以外による移動か、を判別可能な状態で表示することができる。
【００５９】
日常行動以外の行動は、ランニング、登山、トレッキング、サイクリング、セイリング、フィッシング、サーフィン、スキー、スノーボード、の少なくとも一つである。
これにより、携帯端末１においては、種々のアクティビティを日常行動以外の行動とすることができる。
【００６０】
なお、本発明は、上述の実施形態に限定されるものではなく、本発明の目的を達成できる範囲での変形、改良等は本発明に含まれるものである。
【００６１】
上述の実施形態では、ＧＰＳ測位により形成した移動軌跡について説明したが、アクティビティ時に対応する移動軌跡であれば、自律航法測位によるものであっても、他の手法で形成された移動軌跡であっても、ＧＰＳ測位と自律航法測位の組み合わせにより形成された移動軌跡であってもよい。ＧＰＳ測位と自律航法測位を組み合わせる場合は、例えば、ＧＰＳ測位を行なっていない間は、自律航法測位により移動軌跡が形成される。また、予め決められたものを選択した移動軌跡や、ユーザが任意に軌跡をたどったり、始点と終点を決めたりして形成された移動軌跡であってもよい。
【００６２】
また、上述の実施形態では、位置情報の記録時に対応するアクティビティを記録する世に構成したが、移動軌跡を構成する位置情報の測位間隔から判断してアクティビティの種類を特定するように構成してもよい。また、例えば、位置情報取得時に並行してセンシングしたセンサ情報等から移動軌跡を構成する位置情報の取得時の行動を解析して、アクティビティの種類を特定するように構成してもよい。
具体的には、携帯端末１は、例えば、センサ部１７からのセンサ情報から検出したユーザの動きに基づいて、ユーザの日常行動か否かをＣＰＵ１１で判定する。
出力制御部５６は、判定結果に基づいて、ユーザの日常行動による移動か、日常行動以外による移動か、を判別可能な状態で出力する。
【００６３】
また、上述の実施形態では、ユーザによる入力部１９への位置情報記憶処理開始の操作により位置情報記憶処理が開始されるように構成したが、日常行動による位置情報記憶処理は、当該携帯端末１が起動中は常駐アプリケーションにより常に実施され、ユーザが運動アクティビティの開始を指示する操作、例えば、入力部１９への運動アクティビティでの位置情報記憶処理開始の操作、または、運動アクティビティに関係するアプリケーションの起動によって、日常行動による位置情報記憶処理に代わって、日常行動以外による位置情報記憶処理が実施されるように構成してもよい。
【００６４】
また、上述の実施形態では、位置情報や移動軌跡情報を、記憶、表示、外部出力等の各種処理を、携帯端末１が行なうように構成したが、位置情報や移動軌跡情報を、記憶、表外部出力する装置と、当該装置が出力した移動軌跡情報を入力し、移動軌跡情報をアクティビティの違いが分かるように表示する別の装置として構成してもよい。
【００６５】
また、上述の実施形態では、本発明が適用される携帯端末１は、スマートフォンを例として説明したが、特にこれに限定されない。
例えば、本発明は、位置情報記憶処理機能及び移動軌跡情報表示処理機能を有する電子機器一般に適用することができる。具体的には、例えば、本発明は、ノート型のパーソナルコンピュータ、プリンタ、テレビジョン受像機、ビデオカメラ、デジタルカメラ、携帯型ナビゲーション装置、携帯電話機、スマートウォッチ、ポータブルゲーム機等に適用可能である。
【００６６】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００６７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６８】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２１に含まれるハードディスク等で構成される。
【００６９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００７０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７１】
以下に、本願の出願当初の特許請求の範囲に記載された発明を付記する。
［付記１］
ユーザの移動軌跡情報を取得する移動軌跡情報取得手段と、
前記移動軌跡情報取得手段により取得した前記移動軌跡情報を、前記ユーザの日常行動による移動か、日常行動以外による移動か、を判別可能な状態で出力する出力手段と、
を備えることを特徴とする情報処理装置。
［付記２］
前記出力手段は、対応する地図上に、前記移動軌跡情報を重ねて表示すると共に、当該移動軌跡情報を、前記ユーザの日常行動による移動か、日常行動以外による移動か、を判別可能な状態で表示する、
ことを特徴とする付記１に記載の情報処理装置。
［付記３］
前記出力手段は、前記移動軌跡情報を、当該情報処理装置の外部に出力する、
ことを特徴とする付記１又は２に記載の情報処理装置。
［付記４］
前記出力手段が出力した前記移動軌跡情報を記憶する記憶手段を備えたことを特徴とする付記１乃至３の何れか一項に記載の情報処理装置。
［付記５］
前記ユーザの移動に先駆けて、当該ユーザの移動が前記日常行動以外による移動の場合、日常行動以外による移動であることを示す行動情報を設定する第１の行動情報設定手段を備え、
前記出力手段は、前記第１の行動情報設定手段により設定された前記行動情報に基づいて、前記移動軌跡情報を、前記ユーザの日常行動による移動か、日常行動以外による移動か、を判別可能な状態で記録する、
ことを特徴とする付記１乃至４の何れか一項に記載の情報処理装置。
［付記６］
前記ユーザの動きを検出する動き検出手段と、
前記動き検出手段による当該ユーザの動きに基づいて、当該ユーザの移動が前記日常行動以外による移動か否かを判定する行動判定手段と、
前記行動判定手段により、当該ユーザの移動が前記日常行動以外による移動と判定された場合、日常行動以外による移動であることを示す行動情報を設定する第２の行動情報設定手段と、を備え、
前記出力手段は、前記第２の行動情報設定手段により設定された前記行動情報に基づいて、前記移動軌跡情報を、前記ユーザの日常行動による移動か、日常行動以外による移動か、を判別可能な状態で記録する、
ことを特徴とする付記１乃至４の何れか一項に記載の情報処理装置。
［付記７］
位置情報を取得する位置情報取得手段を備え、
前記移動軌跡情報取得手段は、前記位置情報取得手段を所定の時間間隔で起動することにより取得した位置情報を用いて前記移動軌跡情報を取得する、
ことを特徴とする付記１乃至６の何れか一項に記載の情報処理装置。
［付記８］
前記移動軌跡情報取得手段は、前記位置情報取得手段を起動する時間間隔を、前記ユーザの日常行動による移動か、日常行動以外による移動か、で異ならせる、
ことを特徴とする付記７に記載の情報処理装置。
［付記９］
前記移動軌跡情報取得手段は、前記ユーザの移動が前記日常行動以外による移動の場合の前記位置情報取得手段を起動する時間間隔を、前記ユーザの移動が前記日常行動の場合の前記位置情報取得手段を起動する時間間隔より、短い時間間隔に変更する、
ことを特徴とする付記８に記載の情報処理装置。
［付記１０］
前記日常行動以外の行動は速さの異なる複数の行動を含み、
前記移動軌跡情報取得手段は、前記ユーザの移動が前記日常行動以外による移動の場合の前記位置情報取得手段を起動する時間間隔を、前記行動の速さに基づいて異ならせる、
ことを特徴とする付記７に記載の情報処理装置。
［付記１１］
前記移動軌跡情報取得手段は、前記ユーザの移動が前記日常行動以外による移動の場合の前記位置情報取得手段を起動する時間間隔を、速さが遅い行動による移動の場合より速さが速い行動による移動の場合の方が、短い時間間隔に変更する、
ことを特徴とする付記１０に記載の情報処理装置。
［付記１２］
ユーザの日常行動による移動か、日常行動以外による移動か、を判別可能な移動軌跡情報を取得する移動軌跡情報取得手段と、
対応する地図上に、前記移動軌跡情報を重ねて表示すると共に、当該移動軌跡情報を、前記ユーザの日常行動による移動か、日常行動以外による移動か、を判別可能な状態で表示する表示手段と、
を備えることを特徴とする情報処理装置。
［付記１３］
前記日常行動以外の行動は、ランニング、登山、トレッキング、サイクリング、セイリング、フィッシング、サーフィン、スキー、スノーボード、の少なくとも一つである、
ことを特徴とする付記１乃至１２の何れか一項に記載の情報処理装置。
［付記１４］
情報処理装置が実行する移動軌跡情報出力方法であって、
ユーザの移動軌跡情報を取得する移動軌跡情報取得ステップと、
前記移動軌跡情報取得ステップにより取得した前記移動軌跡情報を、前記ユーザの日常行動による移動か、日常行動以外による移動か、を判別可能な状態で出力する出力ステップと、
を含むことを特徴とする移動軌跡情報出力方法。
［付記１５］
コンピュータを、
ユーザの移動軌跡情報を取得する移動軌跡情報取得手段、
前記移動軌跡情報取得手段により取得した前記移動軌跡情報を、前記ユーザの日常行動による移動か、日常行動以外による移動か、を判別可能な状態で出力する出力手段、
として機能させることを特徴とするプログラム。
【符号の説明】
【００７２】
１・・・携帯端末、１１・・・ＣＰＵ、１２・・・ＲＯＭ、１３・・・ＲＡＭ、１４・・・バス、１５・・・入出力インターフェース、１６・・・ＧＰＳ部、１７・・・センサ部、１８・・・撮像部、１９・・・入力部、２０・・・出力部、２１・・・記憶部、２２・・・通信部、２３・・・ドライブ、３１・・・リムーバブルメディア、５１・・・アクティビティ設定部、５２・・・ＧＰＳ測位間隔設定部、５３・・・ＧＰＳ制御部、５４・・・記憶制御部、５５・・・情報取得部、５６・・・出力制御部、７１・・・測位間隔設定テーブル記憶部、７２・・・位置情報記憶部、７３・・・地図情報記憶部
【図１】
2018105629.tif 000003
【図２】
2018105629.tif 000004
【図３】
2018105629.tif 000005
【図４】
2018105629.tif 000006
【図５】
2018105629.tif 000007
【図６】
2018105629.tif 000008
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
ユーザの日常行動による移動と非日常行動による移動の移動軌跡情報を取得する移動軌跡情報取得手段と、
前記移動軌跡情報取得手段により取得した前記移動軌跡情報を、前記ユーザの非日常行動による移動が判別可能な状態で出力する出力手段と、
を備えることを特徴とする情報処理装置。
【請求項２】
前記出力手段は、前記移動軌跡情報取得手段により取得した前記ユーザの日常行動による移動と非日常行動による移動の移動軌跡情報を、前記ユーザの非日常行動による移動が判別可能な状態で出力する、
ことを特徴とする請求項１に記載の情報処理装置。
【請求項３】
前記出力手段は、前記移動軌跡情報取得手段により取得した前記ユーザの非日常行動による移動の移動軌跡情報を出力する、
ことを特徴とする請求項１に記載の情報処理装置。
【請求項４】
前記出力手段は、対応する地図上に、前記移動軌跡情報を、前記ユーザの非日常行動による移動が判別可能な状態で重ねて表示する、
ことを特徴とする請求項１乃至３の何れか一項に記載の情報処理装置。
【請求項５】
前記出力手段は、前記移動軌跡情報を、当該情報処理装置の外部に出力する、
ことを特徴とする請求項１乃至４の何れか一項に記載の情報処理装置。
【請求項６】
前記出力手段が出力した前記移動軌跡情報を記憶する記憶手段を備えたことを特徴とする請求項１乃至５の何れか一項に記載の情報処理装置。
【請求項７】
前記ユーザの移動に先駆けて、当該ユーザの移動が非日常行動による移動の場合、非日常行動による移動であることを示す行動情報を設定する第１の行動情報設定手段を備え、
前記出力手段は、前記第１の行動情報設定手段により設定された前記行動情報に基づいて、前記移動軌跡情報を、前記ユーザの非日常行動による移動が判別可能な状態で出力する、
ことを特徴とする請求項１乃至６の何れか一項に記載の情報処理装置。
【請求項８】
前記ユーザの動きを検出する動き検出手段と、
前記動き検出手段による当該ユーザの動きに基づいて、当該ユーザの移動が非日常行動による移動か否かを判定する行動判定手段と、
前記行動判定手段により、当該ユーザの移動が非日常行動による移動と判定された場合、非日常行動による移動であることを示す行動情報を設定する第２の行動情報設定手段と、を備え、
前記出力手段は、前記第２の行動情報設定手段により設定された前記行動情報に基づいて、前記移動軌跡情報を、前記ユーザの非日常行動による移動が判別可能な状態で出力する、
ことを特徴とする請求項１乃至６の何れか一項に記載の情報処理装置。
【請求項９】
位置情報を取得する位置情報取得手段を備え、
前記移動軌跡情報取得手段は、前記位置情報取得手段を所定の時間間隔で起動することにより取得した位置情報を用いて前記移動軌跡情報を取得する、
ことを特徴とする請求項１乃至８の何れか一項に記載の情報処理装置。
【請求項１０】
前記移動軌跡情報取得手段は、前記位置情報取得手段を起動する時間間隔を、前記ユーザの日常行動による移動か、非日常行動による移動か、で異ならせる、
ことを特徴とする請求項９に記載の情報処理装置。
【請求項１１】
前記移動軌跡情報取得手段は、前記ユーザの移動が非日常行動による移動の場合、前記位置情報取得手段を起動する時間間隔を、前記ユーザの移動が前記日常行動の場合の前記位置情報取得手段を起動する時間間隔より、短い時間間隔に変更する、
ことを特徴とする請求項１０に記載の情報処理装置。
【請求項１２】
非日常行動は速さの異なる複数の行動を含み、
前記移動軌跡情報取得手段は、前記ユーザの移動が非日常行動による移動の場合、前記位置情報取得手段を起動する時間間隔を、前記行動の速さに基づいて異ならせる、
ことを特徴とする請求項９に記載の情報処理装置。
【請求項１３】
前記移動軌跡情報取得手段は、前記ユーザの移動が非日常行動による移動の場合、前記位置情報取得手段を起動する時間間隔を、速さが遅い行動による移動の場合より速さが速い行動による移動の場合の方が、短い時間間隔に変更する、
ことを特徴とする請求項１２に記載の情報処理装置。
【請求項１４】
ユーザの日常行動による移動と非日常行動による移動の移動軌跡情報を取得する移動軌跡情報取得手段と、
対応する地図上に、前記移動軌跡情報を、前記ユーザの非日常行動による移動が判別可能な状態で重ねて表示する表示手段と、
を備えることを特徴とする情報処理装置。
【請求項１５】
非日常行動は、ランニング、登山、トレッキング、サイクリング、セイリング、フィッシング、サーフィン、スキー、スノーボード、の少なくとも一つである、
ことを特徴とする請求項１乃至１４の何れか一項に記載の情報処理装置。
【請求項１６】
情報処理装置が実行する移動軌跡情報出力方法であって、
ユーザの日常行動による移動と非日常行動による移動の移動軌跡情報を取得する移動軌跡情報取得ステップと、
前記移動軌跡情報取得ステップにより取得した前記移動軌跡情報を、前記ユーザの非日常行動による移動が判別可能な状態で出力する出力ステップと、
を含むことを特徴とする移動軌跡情報出力方法。
【請求項１７】
コンピュータを、
ユーザの日常行動による移動と非日常行動による移動の移動軌跡情報を取得する移動軌跡情報取得手段、
前記移動軌跡情報取得手段により取得した前記移動軌跡情報を、前記ユーザの非日常行動による移動が判別可能な状態で出力する出力手段、
として機能させることを特徴とするプログラム。
【手続補正２】
【補正対象書類名】明細書
【補正対象項目名】０００６
【補正方法】変更
【補正の内容】
【０００６】
上記目的を達成するため、本発明の一態様の情報処理装置は、
ユーザの日常行動による移動と非日常行動による移動の移動軌跡情報を取得する移動軌跡情報取得手段と、
前記移動軌跡情報取得手段により取得した前記移動軌跡情報を、前記ユーザの非日常行動による移動が判別可能な状態で出力する出力手段と、
を備えることを特徴とする。